(57)【特許請求の範囲】
【請求項１】
シャワーヘッドを取外し可能に取付けるための壁取付け具であって、
１．１  シャワーヘッド（８）のためのホルダを有し、
１．２  ホルダは、シャワーヘッド（８）を保持する目的のために設けられていて、シャワーヘッド（８）は、ホルダに保持されているときでもシャワー機能があり、
１．３  ホルダは、引抜き方向および差込み方向に沿った締嵌めによって機能し、
ホルダは、シャワーヘッド（８）のハウジングの外周を把持するように形成されており、
シャワーヘッド（８）のハウジングが、シャワーヘッド（８）のハウジングの形状に基づいて、ハウジング外周の把持される場所を認知され得ない形状になっていることを特徴とする、壁取付け具。
【請求項２】
シャワーヘッド（８）は、その取付け台から引抜かれるときもシャワー機能があることを特徴とする、請求項１に記載の壁取付け具。
【請求項３】
シャワーヘッド（８）のためのホルダは、シャワーヘッド（８）のハウジング上の対角的に対向する２つの場所に係合することを特徴とする、請求項１又は２に記載の壁取付け具。
【請求項４】
シャワーヘッド（８）のためのホルダは、シャワーヘッド（８）のハウジングを把持する１対の顎部（１４）を有することを特徴とする、請求項１〜３のいずれか１項に記載の壁取付け具。
【請求項５】
それらの顎部（１４）は、シャワーヘッド（８）がその中における適所にあるとき互いに向かって引っ張られることを特徴とする、請求項４記載の壁取付け具。
【請求項６】
１対の顎部（１４）は、張力が掛かった部材（１５）によってシャワーヘッド（８）のためのホルダに接合されることを特徴とする、請求項４または請求項５に記載の壁取付け具。
【請求項７】
張力付加部材（１５）は、それが拡張された領域にわたってシャワーヘッド（８）のハウジングと接触するように形成されることを特徴とする、請求項６に記載の壁取付け具。
【請求項８】
張力付加部材（１５）は、シャワーヘッド（８）のハウジングとそのいかなる場所においても接触しないように形成されることを特徴とする、請求項６に記載の壁取付け具。
【請求項９】
シャワーヘッド（８）のためのホルダは、フォークの歯（１１）の間に配置されることを特徴とする、請求項１〜８のいずれか１項に記載の壁取付け具。
【請求項１０】
シャワーヘッド（８）のためのホルダは、フォークを構成するものではなく壁に取付けられるアームの遠端の近傍に配置されることを特徴とする、請求項１〜８のいずれか１項に記載の壁取付け具。
【請求項１１】
シャワーヘッド（８）は、そのハウジングに取付けられるグリップを有するハンドヘルド式シャワーヘッドの形態に形成されることを特徴とする、請求項１〜１０のいずれか１項に記載の壁取付け具。
【請求項１２】
シャワーヘッドのハウジングは、ディスク形状であることを特徴とする、請求項１〜１１のいずれか１項に記載の壁取付け具。
【発明の詳細な説明】
【技術分野】
【０００１】
本発明は、シャワーヘッドが取付けられ得る構成の壁取付け具に関するものである。
【背景技術】
【０００２】
ハンドヘルド式シャワーヘッドは、円錐状ホルダの中に挿入される円錐体によって適所に保持され得るものであり、既に公知である。その円錐体は、通常は、シャワーホースがそれらのグリップに取付けられる場所において、ハンドヘルド式シャワーヘッド上に配置される。
【０００３】
それらのグリップがその中に据付けられ或いは挿入され得るホルダもまた、公知である。
【０００４】
壁ブラケットまたはシャワーロッド上のピンに被せて摺動され得る目穴を有するリンク機構がホースとハンドグリップの間の接合部に存在するホルダもまた、公知である。
【０００５】
そのような多くのホルダの事例では、シャワーヘッドは、それでもなお、それがホルダ内にある間にそれ自体が利用されても良い。しかしながら、シャワーヘッドが例えばフックに掛かる目穴によって適所に保持されるだけであるホルダももた、存在する。
【０００６】
シャワーヘッドを取付けるためのすべての公知の構成は、取付け目的のために意図されているとユーザーが認知し得る特殊な設備をシャワーヘッドまたはそのグリップ上において有する。そのような設備すなわち形状の改変は、しばしば目障りと見做されるものでもある。
【発明の開示】
【発明が解決しようとする課題】
【０００７】
本発明が解決しようとする課題は、シャワーヘッドのためのホルダを、シャワーヘッドが多くの様々な様式で使用されることを許容するように形成することである。
【課題を解決するための手段】
【０００８】
その課題を解決するために、本発明は、請求項１において記述されたような特徴を有する壁取付け具を提案する。本発明に関する詳細は、従属請求項に記載されている。
【発明の実施の形態】
【０００９】
本発明は、シャワーヘッドをホルダに、シャワーヘッドをホルダに取付けるための特殊な取付け装置を何も必要としないで、取付けることを許容する。特には、シャワーヘッドの外観は、シャワーヘッドがホルダに対する取付けのために設計されたのであり、且つそのために適切であるということが認知され得ないようなものである。結果として、設計者は、シャワーヘッドおよびそれらのハウジングの設計において遥かに大きな自由度を有する。シャワーヘッドをホルダの中に差込むこともまた、遥かに容易であり、大きく簡略化される。シャワーヘッドの形状は、その差込みを容易にするものであり、それは、必要と思われるならば、ホルダによって更に容易にされても良い。ホルダがグリップと係合する通常の円錐状ホルダの場合、ユーザーは、先ず、シャワーヘッド上のグリップまたはホースをホルダ内のスロットを通して送込み、続いて、シャワーヘッドをそれに直交する方向に沿ってホルダの中に押込まなければならない。本文において提案されるシャワーヘッドの場合には、単一且つ非常に単純な操作、すなわちシャワーヘッドを前方向に摺動させることだけが必要とされるのである。
【００１０】
特に、ホルダがシャワーヘッドのハウジングの外周を把持するように形成されており、シャワーヘッド（８）のハウジングが、シャワーヘッド（８）のハウジングの形状に基づいて、ハウジング外周の把持される場所を認知され得ない形状になっているべきである。結果として、ハウジングの外面の特性は、そのハウジングの形状を大きく変化させることなく、所定の場所に取付ける目的に合わせて形成され得るのであり、更なる設計特徴の事例では、ホルダと係合するために意図されているシャワーヘッドのハウジングの場所が、ハウジングの形状に基づいて、それ自体として認知され得ないように規定することを許容する。
【００１１】
特に、ホルダがシャワーヘッドのハウジングの外周を把持するように形成されても良い。
【００１２】
本発明は、その詳細な構成において、シャワーヘッドがホルダと係合されている間およびシャワーヘッドがホルダから引抜かれた後の両方においても、それがシャワーヘッドとして利用され得るようにするために、シャワーヘッドがホルダから引抜かれるときもシャワー機能があるようにすることを提案するものであり、その利便性を大きく向上させることになる。
【００１３】
本発明に従って、シャワーヘッドがホルダに適合するように特殊に適応されていなかったにも関わらず、特に実用的且つ確実な取付けを達成するために、ホルダは、対角的に対向するその２つの場所においてシャワーヘッドのハウジングと係合するように規定されても良い。
【００１４】
ホルダは、例えば、シャワーヘッドのハウジングを把持するように形成される１対の顎部を有しても良い。
【００１５】
本発明に拠れば、顎部は、シャワーヘッドがホルダの中に存在する間、互いに向かって張力を付加されるように規定されても良い。その張力付加は、シャワーヘッドの差込みによって実行されても良い。
【００１６】
本発明の更なる詳細な構成において、ホルダ上の顎部は、張力付加部材によって相互に接続されるように規定されても良い。
【００１７】
特に、張力付加部材は、シャワーヘッドがホルダ内に存在する間も拡張された領域にわたってシャワーヘッドのハウジングと接触するように形成され得るものであり、張力付加部材の形状をハウジングの形状に適合するように適応させ、或いは可撓性であるように張力付加部材を設計することのいずれかによって実行されても良い。
【００１８】
張力付加部材は、シャワーヘッドに接触しないように形成され得る。
【００１９】
本発明に拠れば、ハウジングに取付けたグリップを有するハンドヘルド式シャワーヘッドの形態に形成されるシャワーヘッドが規定されても良い。シャワーヘッドは、そのグリップに拠るのではなくハウジングによってホルダに取付けられる。
【００２０】
シャワーヘッドのハウジングは、ディスク形状であることが特に有益であると判明している。
【００２１】
本発明の更なる特徴、詳細および利点は、それらの表現が本件明細書の一部とされるべくそれに対する引用として組み込まれる各請求項および要約書、本発明の好適な実施例に関する後続の説明、更には、それを描写する以下のような各図面から明白になるであろう。
【実施例】
【００２２】
図１は、本発明に従ったシャワーヘッドのホルダおよび壁取付け具を大きく簡略化した側面図を示している。図示の実施例では、このシャワーヘッドのホルダは、壁１に取付けられている。図示の実施例の場合には例えば壁にボルト留めされるコンソール３の形の取付け備品２は、それを壁に取付けるように機能する。コンソール３の内部において、シャワーヘッドのホルダは、混合水栓からの水配管に接続される。アーム５は、コンソール３上の突起４の上においてピボット旋回される。そのピボット旋回軸は、紙の平面に対して水平且つ垂直である。取っ手６によって操作され得る止めネジは、アーム５を特定の角度位置にクランプする。アームは、取付け備品２において始端し、その遠端７において終端するようにして、壁から離れるように延在する。図１では何も詳細に示されていないシャワーヘッド８のためのホルダは、アーム５に対して、アームの遠端７の近傍において取付けられる。図示の実施例の事例では、シャワーヘッド８は、ディスク形状であり、シャワーヘッド８の平面から僅かに角度的にオフセットしたハンドグリップ９を有する。ハンドグリップ９の内部では、詳細には示されていないシャワーホース１０が、ハンドグリップ９を貫通し、そこから自由に垂れ下がっている。シャワーホース１０の他端は、取付け備品２に接続される。前述のように、アーム５は、水平方向軸の周りでピボット旋回され得るものであり、それは、上下に旋回されるとき壁に対して様々な角度位置を採ることが可能である。アーム５の角度運動範囲は、例えば１８０°である。
【００２３】
図２は、図１に示された構成の概略図を示している。アーム５は、コンソール３に対するその取付け個所を僅かに越えて枝分かれして分岐しているが、アームの遠端７の近傍では互いに平行に形成される１対のフォークの歯１１を形成し、そこでは、既述されているホルダ１３が、それらのフォークの歯の先端１２の間に設けられる。ホルダは、シャワーヘッド８を保持するものであり、これもまたフォークの歯の先端１２の間に配置される。
【００２４】
ホルダが詳細にどのように見えるかということは、図３に示された第１のサンプルの実施例から理解され得る。シャワーヘッド８のハウジングは、ディスク形状であり、略楕円形の外周を有する。その内面がシャワーヘッドのハウジングの外面に適合するように輪郭形成される１対の顎部１４は、アーム５のフォークの歯１１の内面上に配置されて、シャワーヘッド８を１種の型嵌めクランプで収容し、係合面によって発揮される力が上下に作用する。しかしながら、紙の平面に垂直な方向に沿ったクランピング作用は、締まり嵌めに拠るものである。クランピング顎部１４の各々における間接的なクランピングまたは取っ手６によって操作され得る互いに対する１対のクランピング顎部１４の張力付加のいずれかが、その目的のために利用されても良い。互いに対するクランピング顎部１４の張力付加は、それらの分離がシャワーヘッド８のハウジングの対応する横方向寸法または直径よりも僅かに小さいと規定することによって獲得され得るものであり、それは、シャワーヘッドのハウジングが１対のクランピング顎部１４の間に挿入されるときに紙の平面に垂直にそれらが張力を掛けられるように規定する。それらの張力付加は、結果として、アームの１対のフォークの歯１１の変形によって引き起こされることになる。図３における紙の平面に垂直なクランピング顎部１４の延長部は、かなり短めであり、それらは、図４において簡略的な形態で示されたように、対角的に対向するその２つの場所のみにおいて、且つその周囲の非常に短い部分にわたってのみ、シャワーヘッドのハウジングを把持することになるのである。
【００２５】
図５は、ホルダ上の１対の顎部１４がベール１５によって互いに結合され得る様式を示すものであり、該ベールは、シャワーヘッド８のハウジングの形状に適合されるか、或いはそれがハウジングの形状に整合することを許容するような様式で撓むようにして形成される。本質的に張力が掛かるベール１５を採用することは、クランピング作用の増強を可能にする。
【００２６】
クランピング顎部１４の一方は、アームの１対のフォークの歯１１の各々の先端１２上において両者が自由に回転できるように取付けられ、ホルダは、シャワーヘッド８と共に、水平方向軸の周りでピボット旋回されても良い。図１に示された取っ手６と同様な拘束部材が、シャワーヘッドを特定の位置に係止する設備を提供する目的で設けられても良い。
【００２７】
シャワーヘッドは、そのグリップ９によって把持され得るものであり、好ましくは壁に向かって紙の平面に垂直にホルダから引抜かれても良い。顎部１４（図４をも参照）がシャワーヘッド８のハウジングの中央平面においてアーチ状の内面１６を有するならば、ホルダ内におけるシャワーヘッドのハウジングの所定のラッチ保持は、シャワーヘッドのハウジングが当該場所においてそれがホルダ内に保持されることになると認知することを許容するような形状を有する必要なしで、生じることになる。シャワーヘッドがホルダから引抜かれるとき、それがシャワーヘッドのホルダ上に取付けられるものとして意図されているという視認可能な兆候は何も存在しない。
【００２８】
図２は、シャワーヘッドが、そのホルダと共に、フォークの先端の間に取付けられる実施例を示している。当然ながら、そのようなホルダがフォークを構成しないアーム上に取付けられ得ると規定することもまた実行可能であり、その選択肢もまた、本発明によってカバーされる。その選択肢は、例えば、図示のようなホルダがアームの遠端の側面上に取付けられることを規定することによって実行されても良い。例えば、図２において、１対の歯１１の一方が存在しないことも想像され得るのであり、その場合には、ホルダが残りのアームの一方の側面上に配置され、或いはそこに非対称的に配置される実施例が達成されるであろう。
【００２９】
当然ながら、例えば、張力付加部材１５の中心をアームの遠端に取付けることもまた実行可能であり、その場合には、当然ながら、回転軸を組込むための設備が設けられても良いのである。
【図面の簡単な説明】
【００３０】
【図１】本発明に従ったシャワーヘッドのホルダの概略的な側面図である。
【図２】図１で示された構成の上面図を簡略化した概略図である。
【図３】本発明の変形例の端面図である。
【図４】シャワーヘッドを示す図である。
【図５】図３のものに対応する、僅かに修正された実施例を示す図である。
【符号の説明】
【００３１】
１  壁
２  取付け備品
３  コンソール
４  突起
５  アーム
６  取っ手
７  遠端
８  シャワーヘッド
９  ハンドグリップ
１０  シャワーホース
１１  歯
１２  歯の先端
１３  ホルダ
１４  顎部
【図１】
0004477507.tif 000002
【図２】
0004477507.tif 000003
【図３】
0004477507.tif 000004
【図４】
0004477507.tif 000005
【図５】
0004477507.tif 000006